(57)【要約】【課題】携帯電話機を用いた通話を最寄のＩＰ電話装置等の音声受信部および音声送信部を用いて行うことができるようにしたハンズフリー通話方法および電話装置および携帯電話機を提供する。【解決手段】携帯電話機４０をＩＰ電話装置１０に接続した状態において、携帯電話機４０で受信した音声データを携帯電話機４０の音声受信部４０１をバイパスしてＩＰ電話装置１０の音声受信部１０１に転送するとともに、ＩＰ電話装置１０の音声送信部１０２から出力される音声データを携帯電話機４０の音声送信部４０２をバイパスして携帯電話機４０から送信し、携帯電話機４０を用いた通話をＩＰ電話装置１０の音声受信部１０１および音声送信部１０２を用いて行う。【選択図】  図３
2004328370.tif 000002
【特許請求の範囲】
【請求項１】
携帯電話機を着脱自在に接続可能な電話装置を用いたハンズフリー通話方法において、
前記携帯電話機を前記電話装置に接続した状態において、前記携帯電話機で受信した音声データを該携帯電話機の音声受信部をバイパスして前記電話装置の音声受信部に転送するとともに、
前記電話装置の音声送信部から出力される音声データを前記携帯電話機の音声送信部をバイパスして前記携帯電話機から送信し、
前記携帯電話機を用いた通話を前記電話装置の音声受信部および音声送信部を用いて行う
ことを特徴とするハンズフリー通話方法。
【請求項２】
前記携帯電話機を前記電話装置に接続した状態において、前記携帯電話機のキー操作信号および制御信号を前記電話装置で処理可能な信号に変換して前記電話装置に転送するとともに、
前記電話装置のキー操作信号および制御信号を前記携帯電話機で処理可能な信号に変換して前記携帯電話機に転送する
ことを特徴とする請求項１記載のハンズフリー通話方法。
【請求項３】
携帯電話機を着脱自在に接続可能に接続可能な電話装置において、
前記携帯電話機を着脱自在に接続する接続手段と、
前記携帯電話機を前記接続手段により接続した状態において、前記携帯電話機で受信した受信音声データを前記携帯電話機の音声受信部をバイパスして受信する音声受信手段と、
前記携帯電話機を前記接続手段により接続した状態において、入力した送信音声データを前記携帯電話機の音声送信部をバイパスして出力する音声送信部と
を具備することを特徴とする電話装置。
【請求項４】
前記携帯電話機を前記接続手段により接続した状態において、前記携帯電話機のキー操作信号および制御信号を受信して処理する処理手段と、
前記携帯電話機を前記接続手段により接続した状態において、キー操作信号および制御信号を分析して前記携帯電話機で処理可能な信号に変換して前記携帯電話機に転送する分析手段と
を更に具備することを特徴とする請求項３記載の電話装置。
【請求項５】
電話装置に着脱自在に接続可能な携帯電話機において、
前記電話装置に接続した状態において、受信した音声データを音声受信部をバイパスして前記電話装置の音声受信部に転送するとともに、前記電話装置の音声送信部から転送された音声データを前記携帯電話機の音声送信部をバイパスして出力する切替手段
を具備し、前記電話装置に接続することにより前記電話装置の音声受信部および音声送信部を用いて通話を行う
ことを特徴とする携帯電話機。
【請求項６】
前記電話装置に接続した状態において、キー操作信号および制御信号を分析して前記電話装置で処理可能な信号に変換して前記電話装置に転送する分析手段と、
前記電話装置のキー操作信号および制御信号を受信して処理する処理手段と
を更に具備することを特徴とする請求項５記載の携帯電話機。
【発明の詳細な説明】
【０００１】
【発明の属する技術分野】
この発明は、ハンズフリー通話方法および電話装置および携帯電話機に関し、特に、携帯電話機をＩＰ電話装置等に接続することにより携帯電話機を用いた通話をＩＰ電話装置等の音声受信部および音声送信部を用いて行うことができるようにしたハンズフリー通話方法および電話装置および携帯電話機に関する。
【０００２】
【従来の技術】
従来、携帯電話機においても、マイクロフォンとスピーカとを用いて拡声通話を行ういわゆるハンズフリー機能を有するものが提案されている。
【０００３】
しかし、携帯電話機は、携帯に適するように装置全体が小型化されているためスピーカの性能に限界があり、高品質なハンズフリー通話が実現できないという問題があった。
【０００４】
また、携帯電話機に着信があった場合は、近くに高性能スピーカを搭載したＩＰ電話装置等の電話機があっても、この電話機の高性能スピーカ等を利用した通話はできなかった。
【０００５】
ところで、従来、特許文献１に示すように、子機の通話を親機に転送することにより、親機のスピーカとマイクロフォンを用いてハンズフリー通話を行うコードレス電話装置が提案されている。
【０００６】
【特許文献１】
特開平８ー１５４１２７号公報
【発明が解決しようとする課題】
しかし、上記特許文献１に開示されたコードレス電話装置は、増設された子機で通話中に外線保留して親機に転送した場合に、親機上にオンチャージされた子機に転送され、親機でハンズフリー通話ができないという不都合を解決するために、この場合でも親機でのハンズフリー通話ができるようにしたもので、通常の携帯電話機での着信等に基づく通話を他のＩＰ電話装置等を用いてハンズフリー通話するようなことはできなかった。
【０００７】
そこで、この発明は、携帯電話機を用いた通話を最寄のＩＰ電話装置等の音声受信部および音声送信部を用いて行うことができるようにしたハンズフリー通話方法および電話装置および携帯電話機を提供することを目的とする。
【０００８】
【課題を解決するための手段】
上記目的を達成するため、請求項１の発明は、携帯電話機を着脱自在に接続可能な電話装置を用いたハンズフリー通話方法において、前記携帯電話機を前記電話装置に接続した状態において、前記携帯電話機で受信した音声データを該携帯電話機の音声受信部をバイパスして前記電話装置の音声受信部に転送するとともに、前記電話装置の音声送信部から出力される音声データを前記携帯電話機の音声送信部をバイパスして前記携帯電話機から送信し、前記携帯電話機を用いた通話を前記電話装置の音声受信部および音声送信部を用いて行うことを特徴とする。
【０００９】
また、請求項２の発明は、請求項１の発明において、前記携帯電話機を前記電話装置に接続した状態において、前記携帯電話機のキー操作信号および制御信号を前記電話装置で処理可能な信号に変換して前記電話装置に転送するとともに、前記電話装置のキー操作信号および制御信号を前記携帯電話機で処理可能な信号に変換して前記携帯電話機に転送することを特徴とする。
【００１０】
また、請求項３の発明は、携帯電話機を着脱自在に接続可能に接続可能な電話装置において、前記携帯電話機を着脱自在に接続する接続手段と、前記携帯電話機を前記接続手段により接続した状態において、前記携帯電話機で受信した受信音声データを前記携帯電話機の音声受信部をバイパスして受信する音声受信手段と、前記携帯電話機を前記接続手段により接続した状態において、入力した送信音声データを前記携帯電話機の音声送信部をバイパスして出力する音声送信部とを具備することを特徴とする。
【００１１】
また、請求項４の発明は、請求項３の発明において、前記携帯電話機を前記接続手段により接続した状態において、前記携帯電話機のキー操作信号および制御信号を受信して処理する処理手段と、前記携帯電話機を前記接続手段により接続した状態において、キー操作信号および制御信号を分析して前記携帯電話機で処理可能な信号に変換して前記携帯電話機に転送する分析手段とを更に具備することを特徴とする。
【００１２】
また、請求項５の発明は、電話装置に着脱自在に接続可能な携帯電話機において、前記電話装置に接続した状態において、受信した音声データを音声受信部をバイパスして前記電話装置の音声受信部に転送するとともに、前記電話装置の音声送信部から転送された音声データを前記携帯電話機の音声送信部をバイパスして出力する切替手段を具備し、前記電話装置に接続することにより前記電話装置の音声受信部および音声送信部を用いて通話を行うことを特徴とする。
【００１３】
また、請求項６の発明は、請求項５の発明において、前記電話装置に接続した状態において、キー操作信号および制御信号を分析して前記電話装置で処理可能な信号に変換して前記電話装置に転送する分析手段と、前記電話装置のキー操作信号および制御信号を受信して処理する処理手段とを更に具備することを特徴とする。
【００１４】
【発明の実施の形態】
以下、この発明に係わるハンズフリー通話方法および電話装置および携帯電話機の実施の形態を添付図面を参照して詳細に説明する。
【００１５】
図１は、この発明を適用して構成したＩＰ電話システムを示すシステム構成図である。
【００１６】
図１に示すＩＰ電話システムは、複数のＩＰ電話装置１０ー１、１０ー２、・・・１０ーｎおよびこれらＩＰ電話装置１０ー１、１０ー２、・・・１０ーｎの通話を管理するセンタ装置２０をＬＡＮ（ローカルエリアネットワーク）３０に接続して構成される。
【００１７】
ここで、ＩＰ電話装置１０ー１、１０ー２、・・・１０ーｎは、それぞれ音声をデジタル信号に変換し、ＩＰプロトコルによるパケット伝送により通信を行うもので、この実施の形態のＩＰ電話システムにおいては、それぞれのＩＰ電話装置１０ー１、１０ー２、・・・１０ーｎは、マイクロフォンとスピーカとを用いて拡声通話を行うハンズフリー機能を有するとともに、携帯電話機４０を着脱自在に接続できるように構成されている。
【００１８】
さて、この実施の形態のＩＰ電話システムにおいては、このＩＰ電話システムを利用するユーザの携帯電話機４０の着信等に基づく通話をこのＩＰ電話システムの中の最寄のＩＰ電話装置１０ー１、１０ー２、・・・１０ーｎを用いてハンズフリー通話がきるように構成されている。
【００１９】
すなわち、例えば、このＩＰ電話システムを利用するあるユーザの携帯電話機４０に着信があった場合は、この、この携帯電話機４０をこのＩＰ電話システムのＩＰ電話装置１０ー１、１０ー２、・・・１０ーｎの中の最寄のＩＰ電話装置、例えば、ＩＰ電話装置１０ー１に装着する。
【００２０】
これにより、この携帯電話機４０で受信した音声データは携帯電話機４０の図示しない音声受信部をバイパスしてこのＩＰ電話装置１０ー１の図示しない音声受信部に転送の転送されるとともに、ＩＰ電話装置１０ー１の図示しない音声送信部から出力された音声データは携帯電話機４０の音声送信部をバイパスして携帯電話機４０から送信され、これによりＩＰ電話装置１０ー１のハンズフリー機能を用いた携帯電話機４０の通話のハンズフリー通話が実現される。
【００２１】
なお、上記携帯電話機４０をＩＰ電話装置１０ー１に装着した状態において、ＩＰ電話装置１０ー１のハンドセットを用いた通話も可能である。
【００２２】
また、携帯電話機４０で発呼操作をした後に、この携帯電話機４０を最寄のＩＰ電話装置１０ー１に装着することで、携帯電話機４０の発呼に基づく通話をＩＰ電話装置１０ー１のハンズフリー機能若しくはハンドセットを用いて通話を行うこともできる。
【００２３】
図２は、図１に示したＩＰ電話装置の詳細構成を示す概観図である。
【００２４】
図２において、このＩＰ電話装置１０は、図１に示したＩＰ電話装置１０ー１、１０ー２、・・・１０ーｎにそれぞれ対応するもので、このＩＰ電話装置１０は、ハンズフリー機能のためのマイクロフォン１１およびスピーカ１２、ハンドセット１３、ＬＣＤ表示部１４、ダイヤルキー部１５、ファンクションキー部１６、ワンタッチダイヤルキー部１７、携帯電話機４０を装着するためのクレイドル機構部１８を具備して構成される。
【００２５】
また、このＩＰ電話装置１０に装着される携帯電話機４０は、送話部であるマイクロフォン４１、受話部であるスピーカ４２、ＬＣＤ表示部４３、ダイヤルキー部４４、アンテナ４５、データ送受信部４６を具備して構成される。
【００２６】
ここで、ＩＰ電話装置１０に対する携帯電話機４０の装着は、携帯電話機４０の下端をＩＰ電話装置１０のクレイドル機構部１８に挿入することにより行われ、この携帯電話機４０の装着により、携帯電話機４０の下端に設けられた図示しない各種端子がＩＰ電話装置１０のクレイドル機構部１８内に設けられた図示しないコネクタに接続され、携帯電話機４０のデータ送受信部４６を用いて携帯電話機４０とＩＰ電話装置１０との間で音声データおよび制御信号の送受が行われる。
【００２７】
また、このとき、携帯電話機４０をＩＰ電話装置１０の電源を用いて充電するように構成してもよい。
【００２８】
図３は、この発明に係わるＩＰ電話装置１０のハンズフリー機能を用いた携帯電話機４０の通話のハンズフリー通話を実現するためのＩＰ電話装置１０および携帯電話機４０の音声データの送受信系を説明するブロック図である。
【００２９】
図３において、携帯電話機４０をＩＰ電話装置１０のクレイドル機構部１８を用いてＩＰ電話装置１０に装着し、ＩＰ電話装置１０で所定の操作が行われると、携帯電話機４０では、切替スイッチ４０３が図示のように切り替えられ、受信音声データは、携帯電話機４０の音声受信部４０１をバイパスして、ＩＰ電話装置１０の音声受信部１０１へ加えられる。
【００３０】
また、ＩＰ電話装置１０の音声送信部１０２の出力は、携帯電話機４０の音声送信部４０２をバイパスして送信音声データとして出力される。
【００３１】
ここで、ＩＰ電話装置１０の音声受信部１０１は、受信音声データを受話音声に変換してスピーカ１２若しくはハンドセット１３の図示しない受話部から出力するものであり、また、音声送信部１０２は、マイクロフォン１１若しくはハンドセット１３の図示しない送話部から入力された送話音声を送信音声データに変換して出力するものである。
【００３２】
また、携帯電話機４０の音声受信部４０１は、切替スイッチ４０３が図示と反対に切り替えられているとき、受信音声データを受話音声に変換してスピーカ４２から出力するものであり、また、音声送信部４０２は、マイクロフォン４１から入力された送話音声を送信音声データに変換して出力するものである。
【００３３】
なお、受信音声データは、携帯電話機４０のアンテナ４５で受信された受信信号を処理することにより形成されたものであり、また、送信データは、携帯電話機４０の内部で処理されて、アンテナ４５から送信されるものである。
【００３４】
図４は、ＩＰ電話装置１０のハンズフリー機能を用いた携帯電話機４０の通話のハンズフリー通話を実現するためのＩＰ電話装置１０および携帯電話機４０の制御信号の送受信系を説明するブロック図である。
【００３５】
図４において、携帯電話機４０をＩＰ電話装置１０のクレイドル機構部１８を用いてＩＰ電話装置１０に装着した場合、携帯電話機４０のキー操作若しくは制御信号は、分析部４０４で分析され、ＩＰ電話装置１０の処理部１０４で解釈可能な信号に変換されて、ＩＰ電話装置１０の処理部１０４へ送られる。
【００３６】
また、ＩＰ電話装置１０のキー操作若しくは制御信号は、分析部１０４で分析され、携帯電話機４０の処理部４０４で解釈可能な信号に変換されて、携帯電話機４０の処理部４０５へ送られる。
【００３７】
さて、図１のＩＰ電話システムにおいて、携帯電話機４０に着信が発生した場合、この携帯電話機４０を最寄のＩＰ電話装置、例えば、ＩＰ電話装置１０ー１に図１に示すように装着する。
【００３８】
このＩＰ電話装置１０ー１に対する携帯電話機４０の装着は、図２に示したＩＰ電話装置１０のクレイドル機構部１８を用いて行われる。
【００３９】
次に、ＩＰ電話装置１０の図２に示したファンクションキー部１６に含まれるスピーカーキーを押下する。
【００４０】
これにより、図４に示したＩＰ電話装置１０の分析部１０３を通じて、ＩＰ電話装置１０から携帯電話機４０へ制御信号が伝送される。
【００４１】
この制御信号を受信した携帯電話機４０では、この制御信号に基づき図３に示す切替スイッチ４０３を図３に示すように切り替える。
【００４２】
これにより、携帯電話機４０の受信音声データは、携帯電話機４０の音声受信部４０１をバイパスして、ＩＰ電話装置１０の音声受信部１０１へ加えられ、ＩＰ電話装置１０の音声送信部１０２の出力は、携帯電話機４０の音声送信部４０２をバイパスして送信音声データとして出力される。
【００４３】
すなわち、携帯電話機４０の受話音声は、ＩＰ電話装置１０へ転送され、ＩＰ電話装置１０のスピーカ１２から出力され、また、ＩＰ電話装置１０のマイクロフォン１１から入力した送話音声は、携帯電話機４０を通じて、通話相手へ伝送され、これによりハンズフリー通話が実現される。
【００４４】
そして、このハンズフリー通話中に、ＩＰ電話装置１０で、ファンクションキー部１６に含まれるスピーカーキーが押下されると、ＩＰ電話装置１０の分析部１０３を通じて、ＩＰ電話装置１０から携帯電話機４０へ制御信号が伝送され、これにより、切断処理が実行される。
【００４５】
上記構成によると、携帯電話機４０を用いた通話をＩＰ電話装置１０のスピーカ１１およびマイクロフォン１２を使用して行うことができるので、高品質なハンズフリー通話が実現できる。
【００４６】
なお、上記説明では、ＩＰ電話装置１０のスピーカーキーで応答することにより、マイクロフォン１１およびスピーカ１２を用いたハンズフリー通話を実現する場合を示したが、ハンドセット１３のオフフックで、応答することで、ＩＰ電話装置１０のハンドセット１３を使用した通話も実現可能となる。この場合も、同様に、ハンドセット１３をオンフックすることで、通話は切断される。
【００４７】
この場合、ＩＰ電話装置１０の一定の大きさのハンドセット１３を使用した通話の実現により、通話の操作性が向上する。
【００４８】
なお、上記構成において、携帯電話機４０では、音声処理を実施せずに、切替スイッチ４０３の制御のみを行えばよいので、携帯電話機４０のパッテリーの消耗を減らすことができる。
【００４９】
また、発信を行う場合、携帯電話機４０の機能による発信が可能となる。つまり、発信に伴う制御処理は、携帯電話機４０で行い、音声信号はＩＰ電話装置１０のマイクロフォン１１およびスピーカ１２若しくはハンドセット１３を使用する利用形態が可能になり、この場合は、携帯電話機４０が持つ高機能なサービスを使用することができる。
【００５０】
【発明の効果】
以上説明したようにこの発明によれば、
１）携帯電話機の呼をＩＰ電話装置のスピーカおよびマイクロフォンを使用することで、高品質なハンズフリー通話が実現できる
２）携帯電話機の呼をＩＰ電話装置のハンドセットを使用することで、通話の操作性が向上する
３）携帯電話機のバッテリの消耗を防止できる
４）操作は、携帯電話機をそのまま使用できるため、携帯電話機が持つ高機能なサービスが使用できる
等の効果を奏する。
【図面の簡単な説明】
【図１】この発明を適用して構成したＩＰ電話システムを示すシステム構成図である。
【図２】図１に示したＩＰ電話装置の詳細構成を示す概観図である。
【図３】この発明に係わるハンズフリー通話を実現するためのＩＰ電話装置および携帯電話機の音声データの送受信系を説明するブロック図である。
【図４】この発明に係わるハンズフリー通話を実現するためのＩＰ電話装置および携帯電話機の制御信号の送受信系を説明するブロック図である。
【符号の説明】
１０、１０ー１、１０ー２、・・・１０ーｎ    ＩＰ電話装置
１１    マイクロフォン
１２    スピーカ
１３    ハンドセット
１４    ＬＣＤ表示部
１５    ダイヤルキー部
１６    ファンクションキー部
１７    ワンタッチダイヤルキー部
１８    クレイドル機構部
２０    センタ装置
３０    ＬＡＮ（ローカルエリアネットワーク）
４０    携帯電話機
４１    マイクロフォン
４２    スピーカ
４３    ＬＣＤ表示部
４４    ダイヤルキー部
４５    アンテナ
４６    データ送受信部
１０１    音声受信部
１０２    音声送信部
１０３    分析部
１０４    処理部
４０１    音声受信部
４０２    音声送信部
４０３    切替スイッチ
４０４    分析部
４０５    処理部
【図１】
2004328370.tif 000003
【図２】
2004328370.tif 000004
【図３】
2004328370.tif 000005
【図４】
2004328370.tif 000006